(57)【特許請求の範囲】
【請求項１】
主受話部を上側筐体に実装し、送話部を下側筐体に実装し、前記上側筐体及び前記下側筐体をヒンジにより折り畳み自在に結合した折り畳み型携帯電話機であって、前記上側筐体の前記ヒンジから遠い端部に切り欠き部を備え、折り畳んだ状態で前記切り欠き部に対向する前記下側筐体の面に前記送話部を備えると共に、前記上側筐体の外面における前記ヒンジ近傍に副受話部を備え、折り畳んだ状態及び開いた状態の何れでも通話可能にした携帯電話機。
【請求項２】
上側筐体と下側筐体とがヒンジを介して折り畳み自在に結合されており、前記上側筐体は、折り畳んだ状態で前記下側筐体に対向する面である内面に主表示部と主受話部を備えると共に前記内面の反対面である外面における前記ヒンジの近傍に副受話部を備え且つ前記ヒンジから遠い端部に切り欠き部を備え、前記下側筐体は、折り畳んだ状態で前記上側筐体に対向する面である内面上の前記上側筐体で覆われる部分に主操作部を備えると共に前記切り欠き部に対向する面に送話部を備え、且つ、折り畳んだ状態で外部から操作可能な任意の箇所に着信に対する応答操作を行う副操作部を備えた携帯電話機。
【請求項３】
上側筐体と下側筐体とがヒンジを介して折り畳み自在に結合されており、前記上側筐体は、折り畳んだ状態で前記下側筐体に対向する面である内面に主表示部と主受話部を備えると共に前記内面の反対面である外面に副表示部と前記ヒンジの近傍に配設された副受話部とを備え且つ前記ヒンジから遠い端部に切り欠き部を備え、前記下側筐体は、折り畳んだ状態で前記上側筐体に対向する面である内面上の前記上側筐体で覆われる部分に主操作部を備えると共に前記切り欠き部に対向する面に送話部を備え、且つ、折り畳んだ状態で外部から操作可能な任意の箇所に、着信に対する応答操作、内蔵記憶装置に記憶された発信先相手情報を前記副表示部に順次表示させてその何れか１つを選択する操作、選択した発信先相手に対する発信操作を行う副操作部を備えた携帯電話機。
【請求項４】
前記副操作部は前記下側筐体の側面に設けられたロータリースイッチを含んで構成され、前記ロータリースイッチは、開いた状態で前記主表示部に表示されるデータのスクロール操作用として使用される請求項２または３記載の携帯電話機。
【請求項５】
前記上側及び下側筐体が折り畳まれた状態か否かを検出する検出手段と、該検出手段の検出出力に基づき前記主及び副受話部の何れか一方のみを作動させる切替手段とを備えた請求項１乃至４の何れか１項に記載の携帯電話機。
【請求項６】
前記上側及び下側筐体が折り畳まれた状態か否かを検出する検出手段と、受話部作動モードを設定する手段と、前記検出手段の検出出力及び設定された受話部作動モードに基づき前記主及び副受話部の何れか一方のみ及び双方を作動させる制御を行う切替手段とを備えた請求項１乃至４の何れか１項に記載の携帯電話機。
【請求項７】
前記上側及び下側筐体が折り畳まれた状態か否かを検出する検出手段と、該検出手段の検出出力に基づいて前記送話部の感度を切り替える手段とを備えた請求項１乃至４の何れか１項に記載の携帯電話機。
【請求項８】
音声通信としての電話機能以外に、電話機能に関連する付加機能を１以上備えた請求項１乃至７の何れか１項に記載の携帯電話機。
【請求項９】
音声通信としての電話機能以外に、電話機能以外の機能を１以上備えた請求項１乃至７の何れか１項に記載の携帯電話機。
【発明の詳細な説明】
【０００１】
【発明の属する技術分野】
本発明は携帯電話機に関し、特に持ち運びに便利な折り畳み型の携帯電話機に関する。
【０００２】
【従来の技術】
携帯電話機をその構造面で分類すると、一体型と折り畳み型とに分けられる。一体型は、受話部、送話部、表示部、操作部を１つの筐体に実装したタイプであり、折り畳み型は、受話部及び表示部と送話部及び操作部を別々の筐体に実装し、２つの筐体をヒンジで折り畳み自在に構成したタイプである。なお、フリップ型と呼ばれるタイプの携帯電話機は、一体型の携帯電話機における操作部にフリップと呼ばれる開閉自在な蓋を設けたもので、分類的には一体型に属する。
【０００３】
一体型の携帯電話機は、取り出せば直ぐに通話を開始できる利点を有するが、受話部、送話部、表示部、操作部が同一面に配設されているため、キーピッチを広くとれない、表示部の大画面化が困難、表示部や操作部の機械的な衝撃に対する保護が不十分、といった課題がある。
【０００４】
一体型の一変形例であるフリップ型の携帯電話機は、フリップを閉じることで操作部を保護することができる。しかし、表示部や応答ボタン等の一部のファンクションキーは常に露出しているため、それらに対する保護は充分でない。また、キーピッチを広くとれない、表示部の大画面化が困難といった課題は依然として残されている。更に、フリップの内部に送話部を搭載したタイプでは、フリップを開かなければ通話できない。但し、特開平１１−１７７６６４号公報に記載されるように、フリップの内部に薄型の無指向性マイクロフォンを内蔵させ、このマイクロフォンが位置する部分のフリップの前面及び背面に音孔を設けた携帯電話機では、着信があったときにフリップを開けなくても直ちに応答できる。また、フリップを回動自在に支持するヒンジ部分に送話部を組み入れたタイプも、フリップの開閉如何にかかわらず通話が行える。
【０００５】
折り畳み型の携帯電話機は、折り畳んだ状態では、操作部及び表示部が他方の筐体で覆われる為、それらの保護が可能である。また操作部及び表示部として使用できる面積を同サイズの一体型携帯電話機に比べて２倍近く確保できるため、キーピッチを広くとれ、表示部の大画面化が可能である。しかし、通話時には２つの筐体を一々開かなければならない煩わしさがある。
【０００６】
【発明が解決しようとする課題】
昨今の携帯電話機は、音声通信としての単なる電話機としての機能以外に、電話機能に関連する付加機能や電話機能以外の機能を内蔵している。例えば電話機能に関連する付加機能の例として、電話帳として電話番号と名前を登録し、後の操作で電話帳を呼び出して電話をかけられるようにする電話帳機能、短縮ダイヤル機能、オリジナルな着信音の作曲機能など多種多用なものが知られている。また、電話機能以外の機能の例として、ＮＴＴドコモのｉモード（登録商標）に代表されるようなコンテンツ配信サービスを利用するためのブラウザ機能、電子メール機能、携帯テレビ機能、電子手帳機能、パソコン機能などがある。
【０００７】
このように携帯電話機が多機能化してくると、ユーザインタフェースの良否が装置の使い勝手の良さを左右する鍵になる。ユーザインタフェースの主要部は表示部及び操作部であり、その使い良さはキーピッチの拡大、大画面化にあるため、今後は今以上に上述した折り畳み型の携帯電話機が注目されるものと予想される。しかし、このタイプには前述した通り、通話時には２つの筐体を一々開かなければならない煩わしさがある。従って、この課題を如何に解決するかが重要である。
【０００８】
フリップ型の携帯電話機では、前述したようにフリップを閉じた状態で通話できる技術が知られている。しかし、折り畳み型とフリップ型とではその基本的な構造が相違するため、フリップ型の技術を折り畳み型の携帯電話機に適用するのは困難か、有効でない。
【０００９】
例えば、フリップを回動自在に支持するヒンジに送話部を組み入れる技術を転用し、折り畳み型の携帯電話機における２つの筐体のヒンジ部に送話部を組み入れることは、折り畳み型の携帯電話機ではヒンジの中を２つの筐体に別々に実装されている回路要素間をつなぐ多数の配線が通っているために不可能であるか、極めて困難である。
【００１０】
また、フリップの内部に薄型の無指向性マイクロフォンを内蔵させ、このマイクロフォンが位置する部分のフリップの前面及び背面に音孔を設けるという特開平１１−１７７６６４号公報に記載される技術を転用し、折り畳み型の携帯電話機における操作部を搭載した一方の筐体の内部に薄型の無指向性マイクロフォンを内蔵させ、このマイクロフォンが位置する部分の当該筐体の前面及び背面に音孔を設けるようにすることは、操作性の悪化につながり、実用上有効でない。その理由は、２つの筐体を閉じたときに送話部と受話部とに充分な距離を持たせるためには、マイクロフォン及び音孔をヒンジの近くに設ける必要があるが、操作部が搭載される筐体面のヒンジ近くの場所は、折り畳み型携帯電話機を片手で把持したときに親指で最も操作し易い箇所に相当し、この位置にキーを配置できなくなるとキーの操作性が極端に悪化するからである。事実、現状の折り畳み型の携帯電話機の多くは、その部分に最も頻繁に利用される種類のキーを配置している。
【００１１】
本発明はこのような事情に鑑みて提案されたものであり、その目的は、折り畳んだ状態でも開いた状態でも通話が行える操作性の良い折り畳み型の携帯電話機を提供することにある。
【００１２】
【課題を解決するための手段】
第１の発明の携帯電話機は、主受話部及び送話部を上側筐体及び下側筐体にそれぞれ別々に実装し、前記上側筐体及び前記下側筐体をヒンジにより折り畳み自在に結合した折り畳み型携帯電話機であって、前記上側筐体の前記ヒンジから遠い端部に切り欠き部を備え、折り畳んだ状態で前記切り欠き部に対向する前記下側筐体の面に前記送話部を備えると共に、前記上側筐体の外面における前記ヒンジ近傍に副受話部を備えている。
【００１３】
第２の発明にかかる携帯電話機は、上側筐体と下側筐体とがヒンジを介して折り畳み自在に結合されており、前記上側筐体は、折り畳んだ状態で前記下側筐体に対向する面である内面に主表示部と主受話部を備えると共に前記内面の反対面である外面における前記ヒンジの近傍に副受話部を備え且つ前記ヒンジから遠い端部に切り欠き部を備え、前記下側筐体は、折り畳んだ状態で前記上側筐体に対向する面である内面上の前記上側筐体で覆われる部分に主操作部を備えると共に前記切り欠き部に対向する面に送話部を備え、且つ、折り畳んだ状態で外部から操作可能な任意の箇所に着信に対する応答操作を行う副操作部を備えている。
【００１４】
第３の発明の携帯電話機は、上側筐体と下側筐体とがヒンジを介して折り畳み自在に結合されており、前記上側筐体は、折り畳んだ状態で前記下側筐体に対向する面である内面に主表示部と主受話部を備えると共に前記内面の反対面である外面に副表示部と前記ヒンジの近傍に配設された副受話部とを備え且つ前記ヒンジから遠い端部に切り欠き部を備え、前記下側筐体は、折り畳んだ状態で前記上側筐体に対向する面である内面上の前記上側筐体で覆われる部分に主操作部を備えると共に前記切り欠き部に対向する面に送話部を備え、且つ、折り畳んだ状態で外部から操作可能な任意の箇所に、着信に対する応答操作、内蔵記憶装置に記憶された発信先相手情報を前記副表示部に順次表示させてその何れか１つを選択する操作、選択した発信先相手に対する発信操作を行う副操作部を備えている。
【００１５】
ここで、第１乃至第３の発明において、主操作部は、０から９までの数字キーと＃キーと＊キーを含む数字・記号キー群及び幾つかのファンクションキーを含んで構成される。副操作部は、押しボタンやダイヤルキーやロータリースイッチ等の何れか、またはその組み合わせで構成される。ロータリースイッチを含んで構成される場合、このロータリースイッチは、開いた状態で前記主表示部に表示されるデータのスクロール操作用として使用するのが好ましい。
【００１６】
第４の発明の携帯電話機は、第１乃至第３の発明の携帯電話機において、前記上側及び下側筐体が折り畳まれた状態か否かを検出する検出手段と、該検出手段の検出出力に基づき前記主及び副受話部の何れか一方のみを作動させる切替手段とを備えている。
【００１７】
第５の発明の携帯電話機は、第１乃至第３の発明にかかる携帯電話機において、前記上側及び下側筐体が折り畳まれた状態か否かを検出する検出手段と、受話部作動モードを設定する手段と、前記検出手段の検出出力及び設定された受話部作動モードに基づき前記主及び副受話部の何れか一方のみ及び双方を作動させる制御を行う切替手段とを備えている。
【００１８】
第６の発明の携帯電話機は、第１乃至第３の発明にかかる携帯電話機において、前記上側及び下側筐体が折り畳まれた状態か否かを検出する検出手段と、該検出手段の検出出力に基づいて前記送話部の感度を切り替える手段とを備えている。
【００１９】
第７の発明にかかる携帯電話機は、第１乃至第６の発明にかかる携帯電話機において、音声通信としての電話機能以外に、電話機能に関連する付加機能を１以上備えている。
【００２０】
第８の発明にかかる携帯電話機は、第１乃至第６の発明にかかる携帯電話機において、音声通信としての電話機能以外に、電話機能以外の機能を１以上備えている。
【００２１】
【作用】
第１の発明にあっては、折り畳んだ状態の携帯電話機を、下側筐体が手のひらに接しヒンジが上側に位置するように把持すると、上側筐体の外面に設けられた副受話部と下側筐体に設けられた送話部とを送受話部として利用でき、折り畳んだ状態のまま通話が行える。また、上側筐体を開くと、上側筐体の内面に設けられた主受話部と下側筐体に設けられた送話部とを送受話部として利用でき、既存の折り畳み型の携帯電話機と同様の形態で通話が行える。
【００２２】
第２の発明にあっては、第１の発明と同様に折り畳んだ状態及び開いた状態の何れでも通話できると共に、着信があった場合に副操作部を操作することで応答できるため、折り畳んだ状態のまま応答し即通話が可能となる。
【００２３】
第３の発明にあっては、第１の発明と同様に折り畳んだ状態及び開いた状態の何れでも通話できると共に、第２の発明と同様に着信があった場合に折り畳んだ状態のまま応答し即通話することができ、更に、副操作部の操作によって、装置本体に内蔵された記憶装置に記憶された発信先相手情報を副表示部に順次表示して１つを選択し且つ発信を指示することで、折り畳んだ状態のままで発信操作が行える。
【００２４】
第４の発明にあっては、検出手段が上側及び下側筐体が折り畳まれた状態か否かを検出し、切替手段がその検出出力に基づき、折り畳まれているときは副受話部のみを作動させ、折り畳まれていないときは主受話部のみを作動させることにより、不要な音声出力を抑止すると共に消費電力を低減させる。
【００２５】
第５の発明にあっては、検出手段が上側及び下側筐体が折り畳まれた状態か否かを検出し、受話部作動モードを設定する手段が受話部の作動モードとして、シングルモード及びデュアルモードの何れかを指定し、切替手段がその検出出力と受話部作動モードに基づき、シングルモードの場合は、折り畳まれているときは副受話部のみを作動させ、折り畳まれていないときは主受話部のみを作動させることにより、不要な音声出力を抑止すると共に消費電力を低減させる。また、デュアルモードの場合は、折り畳まれているときは副受話部のみを作動させることで、不要な音声出力を抑止すると共に消費電力を低減させ、折り畳まれていないときは主及び副受話部の双方を作動させることにより、通話相手の音声を二人同時に聴くことを可能にする。
【００２６】
第６の発明にあっては、検出手段が上側及び下側筐体が折り畳まれた状態か否かを検出し、送話部の感度を切り替える手段が、折り畳まれているときはそうでないときに比べて送話部の感度を高めることで、折り畳んだ状態でも、そうでない状態と同じように通話音声を集音することができるようにする。
【００２７】
第７の発明にあっては、音声通信として電話機能以外に、電話機能に関連する付加機能として、電話帳機能、短縮ダイヤル機能、オリジナルな着信音の作曲機能などを１以上備え、これらの付加機能に関し、折り畳み型の利点であるサイズの大きな主表示部、キーピッチの広い主操作部による使い勝手の良いユーザインタフェースを利用者に提供する。
【００２８】
第８の発明にあっては、音声通信として電話機能以外に、電話機能以外の機能として、ブラウザ機能、電子メール機能、テレビゲーム機能、携帯テレビ機能、電子手帳機能、パソコン機能などを１以上備え、これらの付加機能に関し、折り畳み型の利点であるサイズの大きな主表示部、キーピッチの広い主操作部による使い勝手の良いユーザインタフェースを利用者に提供する。
【００２９】
【発明の実施の形態】
次に本発明の実施の形態の例について図面を参照して詳細に説明する。
【００３０】
図１は本発明の携帯電話機の前提例にかかる外観図であり、（ａ）は折り畳んだ状態の外観斜視図、（ｂ）は折り畳んだ状態の左側面図、（ｃ）は開いた状態の外観斜視図である。図１に示されるように、本前提例にかかる携帯電話機１は、上側筐体２とそれより若干長尺な下側筐体３とをヒンジ４を介して折り畳み自在に結合した折り畳み型携帯電話機である。
【００３１】
上側筐体２は、折り畳んだ状態で下側筐体３に対向する面である内面に主表示部５と主受話部６とを備える。主受話部６は、後述する送話部１１との距離を長くするためにヒンジ４から遠い先端付近に配設するのが望ましく、主表示部５は主受話部６とヒンジ４との間にできるだけ大画面で設けるのが望ましい。主受話部６は、音孔、内蔵されたレシーバ等を含んで構成される。主表示部５は、例えば液晶表示器（ＬＣＤ）で構成される。
【００３２】
また、上側筐体２は、折り畳んだ状態で下側筐体３に対向しない面（外面）に副受話部７と副表示部８と応答ボタン９とを備える。副受話部７は、後述する送話部１１との距離を長くするためにヒンジ４の近傍に配設するのが望ましい。応答ボタン９は、折り畳んだ状態の携帯電話機１を片手で把持したときに親指で操作し易い箇所に配設するのが望ましい。副表示部８は、携帯電話機１を把持して操作する手で覆われず、且つ見やすい箇所に配設するのが望ましい。このようなことを考慮し、本例では、ヒンジ４の近傍に副受話部７を、外面の中央より若干上側に応答ボタン９を、副受話部７と応答ボタン９の間に小型の副表示部８を配設している。副受話部７は、音孔、内蔵されたレシーバ等を含んで構成される。副表示部８は、例えば小型の液晶表示器で構成される。応答ボタン９は、例えば押しボタン型のスイッチで構成される。
【００３３】
他方、下側筐体３は、折り畳んだ状態で上側筐体２に対応する面（内面）に主操作部１０と送話部１１とを備える。送話部１１は、常に露出させる必要があるため、折り畳んだときに上側筐体２で覆われない部分である先端付近（ヒンジ４から遠い側）に配設される。送話部１１は、音孔、内蔵されたマイクロフォン等を含んで構成される。他方、主操作部１０は、使わないときの保護のために折り畳んだときに上側筐体２で覆われる部分に配設される。主操作部１０は、０から９までの数字キーと＃キーと＊キーを含む数字・記号キー群１２、各種のファンクションキーを含むファンクションキー群１３を含んで構成される。ファンクションキー群１３には、電話の発信、着信時に使用する開始キー１４、終話するときや携帯電話機１の電源をオン，オフするときに使用する終了キー１５、その他のキーが含まれる。その他のキーとしては、メニューの呼び出しに使用するメニューキー、ｉモードメニューの表示などに使用するｉモードキー、上下左右へのスクロール、電話帳の呼出し、着信履歴の表示、リダイヤル時や操作の決定時などに使用するコマンドキー等、本携帯電話機１の有する機能や機種に応じて適宜設けられている。なお、ファンクションキー群１３のキーのうち、使用頻度の高いキーは操作性を高めるためにヒンジ４に近い側に配設される。
【００３４】
また、下側筐体３は、その左側面にロータリー＆プッシュスイッチ（略してＲＰスイッチと称す）１６が配設されている。ＲＰスイッチ１６は、回転させると回転方向に応じた回転信号を出力し、またプッシュするとプッシュ信号を出力するスイッチである。ＰＲスイッチ１６は、折り畳んだ状態の携帯電話機１を左手で把持したときに親指で操作し易い箇所に配置するのが望ましい。本例の場合、このＲＰスイッチ１６と前述した応答ボタン９とで副操作部が構成される。
【００３５】
その他、携帯電話機１の外面には、アンテナ１７、着信ランプ１８等、必要な他の部品が幾つか実装されている。アンテナ１７は、折り畳んだ状態でも開いた状態でも上方を向くように、下側筐体３の外面におけるヒンジ４近傍に設けられている。着信ランプ１８は、上側筐体２の内面上端部以外に外面下端部（ヒンジ側端部）にも設け、折り畳んだ状態でも視認し易くしている。また、図１では図示されていないが、着信音を発するサウンダーが下側筐体３の背面に設けられている。
【００３６】
上側筐体２に実装された上記の各構成要素は上側筐体２の内部に収納された回路基板の回路要素に接続され、同じく下側筐体３に実装された上記の各構成要素は下側筐体３の内部に収納された回路基板の回路要素に接続され、上側筐体２の回路基板と下側筐体３の回路基板とがヒンジ４の内部を経由する多数の信号線によって相互に接続され、上側筐体２及び下側筐体３が物理的かつ電気的に一体となって携帯電話機１を構成している。下側筐体３の背面には電池パックを収納するケースがあり、内蔵された電池パックの電力が各部に供給される。
【００３７】
図２は本前提例にかかる携帯電話機１の電気的な構成を示すブロック図である。携帯電話機１の全体を制御する制御部２１はＭＰＵ等を含んで構成され、この制御部２１にＥＥＰＲＯＭ２２、ＲＡＭ２３、無線部２４、主操作部１０、副操作部２５、報知駆動部２６、受話用の主及び副駆動部２７及び２８、送話用の駆動部２９、表示用の主及び副駆動部３０及び３１、並びに受話部作動モード設定部３２が接続されている。また、無線部２４にはアンテナ１７が、報知駆動部２６には着信ランプ１８、サウンダー３３及びバイブレータ３４が、受話用の主及び副駆動部２７及び２８には主及び副受話部６及び７が、送話用の駆動部２９には送話部１１が、表示用の主及び副駆動部３０及び３１には主及び副表示部５及び８が、そして、受話部作動モード設定部３２には受話部切替部３５が、それぞれ接続されている。更に、上側及び下側筐体２及び３が折り畳まれた状態か否かを検出する開閉検出器３６が備えられ、その検出信号が受話部切替部３５、送話用の駆動部２９、表示用の主駆動部３０に出力され、受話部切替部３５の２つの出力の一方が受話用の主駆動部２７へ、他方の出力が副駆動部２８へ出力されている。
【００３８】
ＥＥＰＲＯＭ２２は、各種のプログラム及びデータを記憶する。制御部２１はＥＥＰＲＯＭ２２に記憶されたプログラムを実行することにより、携帯電話機１の主たる制御を行う。記憶されるプログラムは、本携帯電話機１を音声通信としての電話機として機能させるプログラム、本携帯電話機１に電話機能に関連する付加機能や電話機能以外の機能を持たせるための１以上のプログラムを含む。電話機能に関連する付加機能を持たせるためのプログラムとしては、電話帳機能を実現するプログラム、短縮ダイヤル機能を実現するプログラム等がある。また、電話機能以外の機能を実現するプログラムとしては、ブラウザ機能を実現するプログラム、電子メール機能を実現するプログラム、電子手帳機能を実現するプログラム、パソコン機能を実現するプログラム等がある。記憶されるデータは、電話帳、発信履歴、着信履歴等のデータである。
【００３９】
ＲＡＭ２３は、制御部２１の制御に際して一時的に保持するデータの記憶用に使用される。無線部２４は、アンテナ１７を介して基地局と無線信号を送受信する部分である。この無線部２４は、本携帯電話機１を電話として使用する際に必要な基地局との間のダイヤル信号等の制御データや送受話信号を無線電波に変換して送受信する機能と、電子メールの送受信やコンテンツの受信を例えばパケット通信で行うデータ通信機能とを有している。
【００４０】
主操作部１０は、図１に示した数字・記号キー群１２及びファンクションキー群１３で構成され、副操作部２５は、図１に示した応答ボタン９及びＲＲスイッチ１６で構成される。
【００４１】
報知駆動部２６は、着信があった旨を着信ランプ１８の点滅、サウンダー３３の鳴動、バイブレータ３４の振動の何れか１つ又はその組み合わせで利用者に通知する部分である。何れの形態で報知を行うかは利用者による事前の設定に従う。
【００４２】
開閉検知器３６は、例えば上側筐体２の内面の空き部分に埋め込まれたマグネットと、折り畳まれたときにマグネットに対向する下側筐体３に設けられた磁力検知センサで構成され、上及び下側筐体２及び３が折り畳まれた状態か否かの検知信号を出力する。マグネット方式でなく、上及び下側筐体２及び３の何れか一方の内面に、折り畳まれたときに他方の筐体で押下されるスイッチを用いた機械的なもの等、任意の構成とすることができる。検知信号は、例えば折り畳まれているときは論理“１”、開いているときは論理“０”となる１ビットで構成される。
【００４３】
受話部作動モード設定部３２には、受話部の作動モードとして、シングルモード及びデュアルモードの何れか一方が設定される。シングルモードは、携帯電話機１が折り畳まれていないときに主受話部６のみを作動させるモードであり、デュアルモードは、主及び副受話部６及び７の双方を作動させるモードである。受話部作動モードの設定は、例えばファンクションキー群１３中のメニューキーによって受話部作動モード設定画面を主表示部５に呼出し、ファンクションキー群１３中のコマンドキーで、シングルモードまたはデュアルモードの何れかを選択することにより、利用者が任意に設定できるようになっている。受話部作動モードは例えば１ビットで表現され、例えば論理“１”でシングルモード、論理“０”でデュアルモードを示す。
【００４４】
受話部切替部３５は、開閉検知器３６の出力と受話部作動モードとに従って、受話用の主及び副駆動部２７及び２８の動作を制御する部分である。受話部切替部３５は、シングルモードの場合、折り畳まれているときは副駆動部２８への出力を論理“１”、主駆動部２７への出力を論理“０”とすることで副駆動部２８のみを作動させ、折り畳まれていないときは２つの出力の論理を反対にすることで主駆動部２７のみを作動させる。また、デュアルモードの場合は、折り畳まれているときは副駆動部２８への出力を論理“１”、主駆動部２７への出力を論理“０”とすることで副駆動部２８のみを作動させ、折り畳まれていないときは２つの出力の論理を共に“１”とすることで主及び副駆動部２７及び２８の双方を作動させる。
【００４５】
主及び副駆動部２７及び２８は、制御部２１から送出される受話信号を増幅して主及び副受話部６及び７を駆動する。但し、受話部切替部３５からの信号が論理“０”であれば駆動を停止する。
【００４６】
送話用の駆動部２９は、送話部１１からの送話信号を増幅して制御部２１へ出力する。この際、駆動部２９は、開閉検知器３６からの検知出力に基づき、携帯電話機１が折り畳まれているときはそうでないときに比べて増幅率を上げることにより送話部１１の感度を高める。
【００４７】
表示用の主駆動部３０は、制御部２１から出力される主表示部用の画像情報を受け取って内蔵の表示メモリを更新し、この表示メモリから画像情報を読み出して主表示部５に表示する。但し、開閉検知器３６の検知出力が携帯電話機１が折り畳まれていることを示す場合、表示メモリの更新は続行するが、主表示部５は非表示状態とする（消灯する）。従って、携帯電話機１が再び開かれると、最新の画像情報が主表示部５に表示される。
【００４８】
表示用の副駆動部３１は、制御部２１から出力される副表示部用の画像情報を受け取って内蔵の表示メモリを更新し、この表示メモリから画像情報を読み出して副表示部８に表示する。
【００４９】
次に本前提例にかかる携帯電話機１の動作を説明する。
【００５０】
電源が投入された直後においては、携帯電話機１は待ち受け状態に遷移している。待ち受け状態では、制御部２１は、主駆動部３０を通じて主表示部５に主表示部用の待ち受け画面を表示すると共に副駆動部３１を通じて副表示部８に副表示部用の待ち受け画面を表示し、イベントの発生を監視している。主及び副表示部用の待ち受け画面には、例えば現在日時及び時刻、電池レベル等を表示する。主及び副表示部に同じ情報を表示するのではなく、異なる情報を表示するようにしても良い。監視するイベントの主なものは、主及び副操作部１０及び２５からの入力、基地局からの着信信号の受信などである。
【００５１】
何らかのイベントが発生した場合、発生したイベントに応じた状態へ遷移し、制御部２１の制御の下で必要な処理が行われた後、再び待ち受け状態へ戻る。以下、代表的な動作例について説明する。
【００５２】
（１）着信
着信があった際の制御部２１の処理例を図３に示す。アンテナ１７を通じて基地局から発信者電話番号を含む自携帯電話機１宛の着信信号が無線部２４で受信されると、制御部２１は、報知駆動部２６を起動して着信ランプ１８、サウンダー３３、バイブレータ３４によって着信報知を行い（ステップＳ１）、主及び副駆動部３０及び３１を通じて主及び副表示部５及び８の画面を待ち受け画面から着信時画面に更新する（ステップＳ２）。着信時画面では、例えば発信者電話番号が表示される。次に制御部２１は、携帯電話機１の利用者が応答したか否か、利用者が応答せず発信者側が切断してしまったか否かを監視する（ステップＳ３、Ｓ４）。本携帯電話機１では、利用者は、応答ボタン９またはＲＰスイッチ１６のプッシュ、開始キー１４のプッシュの何れかによって応答することができる。なお、エニーアンサー機能を持つ携帯電話機では、その他の任意のキーによる応答が可能である。
【００５３】
利用者が応答した場合（ステップＳ３でＹＥＳ）、制御部２１は着信報知を停止させ（ステップＳ５）、通話制御を実施することにより発信者との通話を可能にする（ステップＳ６）。そして、通話が終了すると、ＥＥＰＲＯＭ２２の着信履歴領域に、今回の発信者電話番号を記録し（ステップＳ７）、待ち受け状態へ戻る。他方、利用者が応答せずに相手が回線を切断した場合（ステップＳ４でＹＥＳ）、制御部２１は、今回の発信者電話番号をＥＥＰＲＯＭ２２の着信履歴領域に「不在」の印を付けて記録し（ステップＳ７）、待ち受け状態へ戻る。
【００５４】
ステップＳ６の通話制御では、制御部２１は、無線部２４で受信される発信者の音声信号を受話用の主及び副駆動部２７及び２８に送出し、また送話用の駆動部２９から入力される音声信号を無線部２４に出力することで、発信者との通話を可能にしている。また、終話したか否かを発信者側からの回線断、着信者側の入力操作によって監視し、終話した場合、通話制御を終了する。本携帯電話機１では、利用者は、応答ボタン９またはＲＰスイッチ１６のダブルプッシュ、終了キー１５のプッシュの何れかによって終話することができる。ここで、ダブルプッシュとは、短時間の間にプッシュを２回行う操作を意味する。また、制御部２１は、通話制御中、主及び副表示部５及び８の画面に通話時間などの情報を適宜表示する制御を実施する。
【００５５】
図４に、待ち受け状態で着信があった際の副表示部８の画面の遷移と利用者の操作例を示す。この例では副表示部８が３行分の表示エリアを有するものとしている。以下、図４を参照して、携帯電話機１を折り畳んだ状態で利用者が応答、通話、終話する際の動作を説明する。
【００５６】
待ち受け状態において、副表示部８には、１行目に電池レベル及び無線レベルが、２行目に現在日時と曜日がそれぞれ表示されている。着信があると、着信時画面に切り替わり、発信者電話番号が３行目に表示される。利用者は着信報知で着信があったことを認識でき、この発信者電話番号で発信者を認識できる。利用者が応答ボタン９をプッシュするか、またはＲＰスイッチ１６をプッシュして応答すると、通話状態となり、副受話部７を耳に当て、送話部１１を口元に近付けることで通話が行える。このとき、副表示部８の２行目は通話時間に切り替わっており、時々刻々と通話時間がカウント表示される。なお、携帯電話機１が折り畳まれているので、主駆動部２７は主受話部６から音声を出力せず、主駆動部３０は主表示部５を消灯している。終話する際、利用者は応答ボタン９をダブルプッシュするか、またはＲＰスイッチ１６をダブルプッシュする。終話すると、副表示部８は待ち受け画面に戻る。このように本携帯電話機１では、着信があった場合、着信携帯電話機１を折り畳んだ状態のまま一度も開くことなく、応答、通話、終話することができる。
【００５７】
着信があった際に折り畳んだまま応答、通話、終話できる折り畳み型携帯電話機は今まで存在しない画期的なものであるため、従来の折り畳み型携帯電話機に馴染みの深い利用者は最初は携帯電話機１をおもわず開いてしまうかも知れない。しかし、利用者は直ぐに要領を会得して、この便利な機能を活用することになるであろう。また、若し開けてしまっても、本例の携帯電話機１は再び折り畳まなくても、開いたままの状態で応答、通話、終話することができるので心配はない。つまり、開始キー１４をプッシュするか、前記と同様に応答ボタン９またはＲＰスイッチ１６をプッシュして応答すると、通話状態にすることができ、主受話部６を耳に当て、送話部１１を口元に近付けることで通話が行える。また、終話も終了キー１５をプッシュするか、前記と同様に応答ボタン９またはＲＰスイッチ１６をダブルプッシュすることで行える。なお、着信があった際の図４に示したような画面の遷移と同様な遷移は主表示部５でも実施されており、携帯電話機１を開けると主表示部５が即表示を再開するため、発信者電話番号や通話時間の確認も可能である。
【００５８】
その他、折り畳んだ状態で応答し、開いて通話、終話する利用形態や、開いた状態で応答し、折り畳んで通話、終話する利用形態や、折り畳んだ状態での通話と開いた状態での通話とを１通話中に適宜切り替えるといった各種の利用形態が可能である。
【００５９】
（２）発信
本携帯電話機１には、副操作部２５の操作により、ＥＥＰＲＯＭ２２に記憶された発信先相手情報を主及び副表示部５及び８に順次表示させてその何れか１つを選択し、この選択した発信先相手に対して発信することができる機能が備えられている。この機能を副操作部起動式発信機能と呼ぶ。ここで、ＥＥＰＲＯＭ２２に記憶された発信先相手情報として、本例では着信履歴、発信履歴、電話帳の３つのうち、事前に利用者が選択したものを使用する。この選択はメニューキーによって主表示部５に発信先相手情報選択画面を呼び出し、着信履歴、発信履歴、電話帳の中から１つを選択することで行える。
【００６０】
図５に副操作部起動式発信機能にかかる制御部２１の処理例を示す。待ち受け状態において、利用者がＲＰスイッチ１６をプッシュすると、制御部２１は副操作部起動式発信機能が起動されたものと認識し、図５に示す処理を開始する。先ず、着信履歴、発信履歴、電話帳の３つの発信先相手情報のうちの事前に設定された発信先相手情報に登録された３件分の情報を主及び副表示部５及び８に表示し、その中央の１つを選択中を示す反転表示とする（ステップＳ１１）。ここで、表示する情報は、電話帳の場合には電話番号に対応して登録された相手名称、着信履歴及び発信履歴の場合には電話番号である。次に制御部２１は、利用者の入力を待ち合わせ（ステップＳ１２）、次の入力がスクロール指示であった場合、その指示方向に従って表示する３件分の情報のスクロールを行い、新たに中央に表示されることになった１つを選択中を示す反転表示とする（ステップＳ１３）。スクロールの指示は、ＲＰスイッチ１６の回転によって入力でき、また開いているときは主操作部１０におけるスクロール用のファンクションキーでも行える。
【００６１】
次の利用者の入力が終了指示であった場合は、制御部２１は副操作部起動式発信機能を停止し、待ち受け状態に戻る。副操作部起動式発信機能の起動中における終了指示は、本携帯電話機１ではＲＰスイッチ１６または応答ボタン９のダブルプッシュで行える。
【００６２】
他方、利用者からの次の入力が発信指示であった場合、制御部２１は、現に反転表示されている中央の情報が選択されたものと判断し、選択された相手の電話番号を無線部２４を通じて基地局へ送信することで発信処理を行う（ステップＳ１４）。発信の指示は、ＲＰスイッチ１６または応答ボタン９のプッシュで行え、また開いているときは主操作部１０の開始キー１４のプッシュでも行える。
【００６３】
次に制御部２１は発信先が話中か否かを無線部２４を通じて基地局から受信する信号によって判定し（ステップＳ１５）、話中でなければ、通話制御を実施することにより発信先との通話を可能にする（ステップＳ１６）。この通話制御は図３のステップＳ６と同様に無線部２４で受信される相手の音声信号を受話用の主及び副駆動部２７及び２８に送出し、また送話用の駆動部２９から入力される音声信号を無線部２４に出力することで、相手との通話を可能にする。また、終話したか否かを相手からの回線断、本携帯電話機１の入力操作によって監視し、終話した場合、通話制御を終了する。本携帯電話機１では、利用者は、応答ボタン９またはＲＰスイッチ１６のダブルプッシュ、終了キー１５のプッシュの何れかによって終話することができる。そして、通話が終了すると、ＥＥＰＲＯＭ２２の発信履歴領域に、今回の発信先相手の電話番号を記録し（ステップＳ１７）、待ち受け状態へ戻る。他方、利用者が話中であった場合（ステップＳ１５でＹＥＳ）、制御部２１は、今回の発信先相手の電話番号をＥＥＰＲＯＭ２２の発信履歴領域に「不在」の印を付けて記録し（ステップＳ１７）、待ち受け状態へ戻る。
【００６４】
図６に、副操作部起動式発信機能を使って発信を行った際の副表示部８の画面の遷移と利用者の操作例を示す。この例では副表示部８が３行分の表示エリアを有するものとしている。以下、図６を参照して、携帯電話機１を折り畳んだ状態で利用者が発信、通話、終話する際の動作を説明する。
【００６５】
待ち受け状態において、副表示部８には、１行目に電池レベル及び無線レベルが、２行目に現在日時と曜日がそれぞれ表示されている。ＲＰスイッチ１６のプッシュ操作によって副操作部起動式発信機能が起動されると、発信履歴、着信履歴および電話帳の３つの発信先相手情報のうち事前に設定された発信先相手情報に登録された３件分の情報が副表示部８に表示される。図６の例は電話帳の場合を示し、中央の×××商店が反転表示されている。この状態でＲＰスイッチ１６を手前方向に回転させると、３件分の情報が１件分ずつ手前側にスクロールされ、新たに中央に位置する□□□会社が反転表示される。因みに、ＲＰスイッチ１６を反対方向に回転させると３件分の情報が反対側に１件分ずつスクロールされ、新たに中央に位置する○○○会社が反転表示される。
【００６６】
□□□会社の情報が反転表示されている状態で、ＲＰスイッチ１６または応答ボタン９がプッシュされると、発信処理が行われ、□□□会社に対応して電話帳に登録されている電話番号を用いて発信が行われる。そして、相手が応答し通話状態になると、副受話部７を耳に当て、送話部１１を口元に近付けることで通話が行える。このとき、副表示部８の１行目は電池レベル及び無線レベルに、２行目は通話時間に、３行目は発信した電話番号にそれぞれ切り替わっており、時々刻々と通話時間がカウント表示される。なお、携帯電話機１が折り畳まれているので、主駆動部２７は主受話部６から音声を出力せず、主駆動部３０は主表示部５を消灯している。利用者が終話するために応答ボタン９をダブルプッシュするか、またはＲＰスイッチ１６をダブルプッシュすると、副表示部８は待ち受け画面に戻る。このように本携帯電話機１では、携帯電話機１を折り畳んだ状態のまま一度も開くことなく、発信、通話、終話することができる。
【００６７】
副操作部起動式発信機能では、図６で示したような画面の遷移と同様な遷移は主表示部５でも実施されているため、携帯電話機１を開けた状態でも前述と同様の操作で発信、通話、終話することができる。但し、通話時には主受話部６を耳に当て、送話部１１を口元に近付けて通話する。その他、折り畳んだ状態で発信し、開いて通話、終話する利用形態や、開いた状態で発信し、折り畳んで通話、終話する利用形態や、折り畳んだ状態での通話と開いた状態での通話とを１通話中に適宜切り替えるといった各種の利用形態が可能である。
【００６８】
本携帯電話機１は、副操作部起動式発信機能以外に、既存の折り畳み型携帯電話機の有する発信操作と同じような操作でも発信が行える。即ち、携帯電話機１を開いて、数字・記号キー群１２によるダイヤル番号入力と開始キー１４のプッシュによって任意の相手への発信が可能であり、また、ファンクションキー群１３の操作によって、電話帳、着信履歴、発信履歴を主表示部５に呼出し、画面のスクロール、該当する相手の選択、開始キー１４のプッシュによって、事前に登録された任意の相手への発信も可能である。
【００６９】
（３）電話機能に関連する付加機能
本携帯電話機１では、既存の折り畳み型携帯電話機と同じ方法で、電話機能に関連する付加機能を利用することができる。例えば、付加機能の１つとして電話帳登録機能を例にすると、携帯電話機１を開き、ファンクションキー群１３の操作で電話帳登録機能プログラムを起動すれば、主表示部５に電話帳登録用画面が表示され、一連の操作を行うことで相手名称、電話番号の対をＥＥＰＲＯＭ２２の電話帳領域に登録することができる。その他、短縮ダイヤル機能、着信報知形態の設定等、各種の付加機能が利用可能である。これらの付加機能は、主表示部５を出力インタフェースとして、主操作部１０を入力インタフェースとして利用することで、使い勝手の良いユーザインタフェースを利用者に提供することができる。また、電話機能に関連する付加機能の起動中、ＲＰスイッチ１６は例えば主表示部５の画面のスクロール用に利用可能になっている。
【００７０】
（４）電話機能以外の機能
本携帯電話機１には、電話機能以外の機能として、ブラウザ機能、電子メール機能、テレビゲーム機能、携帯テレビ機能、電子手帳機能、パソコン機能などの電話機能以外の機能が搭載されており、これらの機能は、主表示部５を出力インタフェースとして、主操作部１０を入力インタフェースとして利用者に提供される。例えば、ｉモードを例に説明すると、携帯電話機１を開き、ファンクションキー群１３の操作でｉモード機能プログラムを起動すれば、主表示部５にｉモードメニューが表示され、その任意の項目を選択することで各種のサービスを利用することができるようになっている。また、電話機能以外の機能の起動中、ＲＰスイッチ１６は例えば主表示部５の画面のスクロール用に利用可能になっている。
【００７１】
前述した前提例では、下側筐体３を上側筐体２より若干長尺にし、折り畳んだ状態で上側筐体２で覆われない下側筐体３の内面部分に送話部１１を設けたが、本発明の実施の形態にかかる携帯電話機においては、閉じた状態の正面図を示す図７のように、上側筐体２の先端部分（ヒンジ４から遠い側）に略Ｕ字状等の切り欠き部（孔を含む）４１を設け、折り畳まれた状態で切り欠き部４１に対向する下側筐体３の内面に送話部１１を設ける点で前提例と相違し、その他の点は前提例と同じである。この場合、下側筐体３は上側筐体２より長尺にしても良いし、同じか若干短くすることも可能である。
【００７２】
前述した実施の形態では、主受話部６を音孔及び内蔵されたレシーバ等で構成し、主表示部５とは別の位置に配設したが、主表示部５の上に重ねて設けた透明且つフラットなスピーカを主受話部６とすることもできる。透明でフラットなスピーカとしては、例えばＮＸＴのラウドスピーカを利用することができる。
【００７３】
以上本発明の実施の形態について説明したが、本発明は以上の実施の形態にのみ限定されず、その他各種の付加変更が可能である。例えば、副操作部２５をＲＰスイッチ１６だけで構成したり、ＲＰスイッチ１６の代わりに幾つかの押しボタンを使ったり等、任意の構成を採用することができる。
【００７４】
【発明の効果】
以上説明したように本発明によれば、以下のような効果が得られる。
【００７５】
操作性が向上する。その理由は、折り畳んだ状態でも開いた状態でも通話が行えるからである。
【００７６】
着信があった場合に折り畳んだ状態のまま応答し即通話できる。その理由は、副操作部を操作することで折り畳んだまま応答できるからである。
【００７７】
着信だけでなく、発信も折り畳んだ状態で行える。その理由は、折り畳んだ状態で、内蔵記憶装置に記憶してある発信先相手情報の表示と選択、この選択した相手先への発信指示が行えるからである。現状の携帯電話機の利用状況を見ると、ダイヤルキーで相手先を指定するより電話帳、発信履歴、着信履歴に登録されている相手を指定して電話をかける場合の方が圧倒的に多いため、殆どの場合、折り畳んだ状態のままで利用できることになる。
【００７８】
送話部が２つ存在することに起因する不要な音声出力の発生及び消費電力の増大を防止できる。その理由は、折り畳まれているときは副受話部のみを作動させ、折り畳まれていないときは主受話部のみを作動させることにより、不要な音声出力を抑止すると共に消費電力を低減させているからである。
【００７９】
送話部が２つ存在することを積極的に利用して、通話相手の音声を二人同時に聴くといった新たな利用方法が可能となる。その理由は、受話部作動モードとしてデュアルモードが指定されている場合、折り畳まれていないときは主及び副受話部の双方を作動させるため、副受話部に耳を近付ければ通話相手の音声が通話者以外の者も明瞭に聴くことができるからである。
【００８０】
折り畳んだ状態でも、そうでない状態と同じように通話音声を集音することができる。その理由は、折り畳んだ状態では送受話器間距離が閉じた状態より短くなって送話部が口元からより離れるが、折り畳まれているときはそうでないときに比べて送話部の感度を自動的に高めるからである。
【００８１】
電話帳機能、短縮ダイヤル機能などの電話機能に関連する付加機能を使い勝手の良いユーザインタフェースで利用者に提供できる。その理由は、折り畳み型の利点であるサイズの大きな主表示部、キーピッチの広い主操作部によるユーザインタフェースが利用できるからである。
【００８２】
ブラウザ機能、電子メール機能などの電話機能以外の機能を使い勝手の良いユーザインタフェースで利用者に提供できる。その理由は、折り畳み型の利点であるサイズの大きな主表示部、キーピッチの広い主操作部によるユーザインタフェースが利用できるからである。
【図面の簡単な説明】
【図１】  本発明の携帯電話機の前提例にかかる外観図であり、（ａ）は折り畳んだ状態の外観斜視図、（ｂ）は折り畳んだ状態の左側面図、（ｃ）は開いた状態の外観斜視図である。
【図２】  本発明の前提例にかかる携帯電話機の電気的な構成を示すブロック図である。
【図３】  本発明の前提例にかかる携帯電話機に着信があった際の制御部の処理例を示すフローチャートである。
【図４】  本発明の前提例にかかる携帯電話機において、待ち受け状態で着信があった際の副表示部の画面の遷移と利用者の操作例を示す図である。
【図５】  本発明の前提例にかかる携帯電話機が有する副操作部起動式発信機能にかかる制御部の処理例を示すフローチャートである。
【図６】  本発明の前提例にかかる携帯電話機が有する副操作部起動式発信機能を使って発信を行った際の副表示部の画面の遷移と利用者の操作例を示す図である。
【図７】  本発明の携帯電話機の実施の形態にかかる折り畳んだ状態の正面図である。
【符号の説明】
１…携帯電話機
２…上側筐体
３…下側筐体
４…ヒンジ
５…主表示部
６…主受話部
７…副受話部
８…副表示部
９…応答ボタン
１０…主操作部
１１…送話部
１２…数字・記号キー群
１３…ファンクションキー群
１４…開始キー
１５…終了キー
１６…ＲＰスイッチ
１７…アンテナ
１８…着信ランプ
２１…制御部
２２…ＥＥＰＲＯＭ
２３…ＲＡＭ
２４…無線部
２５…副操作部
２６…報知駆動部
２７…主駆動部
２８…副駆動部
２９…駆動部
３０…主駆動部
３１…副駆動部
３２…受話部作動モード設定部
３３…サウンダー
３４…バイブレータ
３５…受話部切替部
３６…開閉検知器
４１…切り欠き部
【図１】
0003680777.tif 000002
【図２】
0003680777.tif 000003
【図３】
0003680777.tif 000004
【図４】
0003680777.tif 000005
【図５】
0003680777.tif 000006
【図６】
0003680777.tif 000007
【図７】
0003680777.tif 000008